(57)【特許請求の範囲】
【請求項１】
着信時の受信モードを選択する操作手段と、
回線への着信を前記電話機またはファクシミリ送受信モデムとに切替え接続するリレーと、
現在動作中の動作中モードがメモリに蓄積中あるいはメモリ文書出力中であることを示す多重動作中モードであるか否かを判断する第１の判断手段と、
前記操作手段で選択された受信モードおよび前記第１の判断手段で判断された動作中モードとに基づいて前記リレーの切替えを制御する通信制御手段とを具備する、電話機が接続されたファクシミリ装置において、
前記通信制御手段は、前記受信モードがファクシミリモードまたはファクシミリ優先モードのいずれかの場合、前記動作中モードが前記多重動作中モードであるか否かにかかわらず、前記リレーをファクシミリ送受信モデム側に切替えることを特徴とするファクシミリ装置。
【請求項２】
請求項１に記載のファクシミリ装置において、
前記各手段の他に、ファクシミリ装置の状態を監視する監視手段を有し、
前記通信制御手段は、前記監視手段の監視結果、所定の状態であることを検出した場合、前記操作手段で選択された受信モードに関係なく前記リレーを電話機側に切替えて、電話機のベルを鳴動させることを特徴とするファクシミリ装置。
【請求項３】
請求項１に記載のファクシミリ装置において、前記各手段の他に、電話／ファクシミリのタイマ切替え時間を設定する設定手段と、該設定手段に設定されたタイマ切替え時間により受信モードを自動的に切替える手段と、ファクシミリ装置の状態を監視する監視手段と、該監視手段で監視した状態を判断する第２の判断手段とを有し、
前記通信制御手段は、前記第２の判断手段の判断結果、所定の状態であると判断した場合、前記設定手段により設定したタイマ切替え時間に受信モードを自動的に切替えないように制御することを特徴とするファクシミリ装置。
【発明の詳細な説明】
【０００１】
【産業上の利用分野】
本発明は、ベル音の騒音が少なく、また相手方に無駄な電話代を負担させることがなく、かつエラー状態のときにはユーザに早急に通知することが可能な、電話機を接続したファクシミリ装置に関するものである。
【０００２】
【従来の技術】
従来より、電話機が接続されたファクシミリ装置の着信時の受信モードとしては、電話機モード（電話がかかってくると、ベルを鳴らす）、ファクシミリモード（電話がかかってくると、自動的にファクシミリに入力する）、および自動切換えモード（電話がかかってくると自動的に応答し、ファクシミリの時には自動的に受信し、電話機の時にはベルを鳴らす）の３つのモードがある。それぞれのモードをセットしておくことにより、利用状況に合わせて設定が変更できる。
しかしながら、ファクシミリモードにセットされていても、メモリ文書の出力中やメモリ蓄積中等、他の処理の動作中で着信できない時には、ベルを鳴らしている。この場合には、利用者は呼び出しベルが鳴るため受話機を取るが、相手側がファクシミリであるため通話することができず、またファクシミリの受信もできずに課金だけ行われることになる。さらに、ファクシミリからの受信では、ベルが鳴るため、周囲の人に迷惑をかけることになり、それによるクレームが発生する。
一方、従来のファクシミリ装置では、設定した時刻に自動的に受信モード（自動切換モード、電話機モード、ファクシミリモード）を切り換える機能を備えている。この機能は、通常、在宅している時には電話機モードに設定し、外出等の不在の時間帯にはファクシミリモードに設定する等、時間によって受信モードを自動的に切り換えている。
【０００３】
これに関係する従来技術としては、着信時の呼出し信号をカウントし、カウント値が所定値に達したとき、受信モードを手動から自動受信モードに切換えるようにしたファクシミリ装置（特開昭６２−９８８７１号公報参照）がある。また、現在時刻と予定時刻とが一致したとき、呼出音を予約時刻の各々に対応させて設定する音量レベルで出力させることにより、時間帯に見合った適切な音量レベルで呼出音が聞けるようにした電話機（特開平４−１９２６５２号公報参照）がある。また、自動受信モードで発音体の駆動を禁止しておき、呼出信号の回数をカウントして所定回数以上か、あるいは所定回数より少ない回数だけのときのみ、禁止を解除するようなファクシミリ装置（特開平３−１０１３６１号公報参照）がある。これにより、発音体を鳴動させずにファクシミリ受信することができるとともに、必要な回数だけ発音体を鳴動させた後にファクシミリ受信を行うようにもできる。また、所定時間の音声通信を許可した後に、着信を電話機で行うか、あるいは通信装置側で行うかの制御が可能な通信装置（特開平２−２９６４５０号公報参照）がある。これによれば、無音状態または所定の呼出信号に応じて早急に必要な装置を回線に接続することができる。さらに、着信信号が音声であるかファクシミリであるかを検出し、いずれかに接続することにより、付属電話機の鳴動を低減したファクシミリ装置（特開平２−２４４８６６号公報参照）がある。さらに、着信を検出すると直ちに電話回線をデータ端末装置に接続し、一定時間経過してもデータ通信が開始しないときには、呼出信号を発生するか、あるいは電話回線を電話機に接続するようにした端末の自動受信方式（特開平２−１３０５８号公報参照）がある。さらに、電話機からの発呼に対しては電話機により応答し、ファクシミリ装置からの発呼に対してはファクシミリ装置により応答するように回線を選択接続できる端末制御装置（特開平１−１２５０５３号公報参照）がある。
【０００４】
【発明が解決しようとする課題】
前述のように、電話機が接続されたファクシミリ装置では、着信時のモードをセットすることにより、利用状況に合わせて設定が変更できる。しかし、電話機モードでベルを鳴らすのは勿論であるが、ファクシミリモードのときでも、ファクシミリを受信できない時にはベルが鳴動されるため、周囲からクレームが発生していた。
そこで、ファクシミリを受信できない時にはベルを鳴らさないようにする方法を考えた。しかし、例えば、記録系に致命的なエラーが発生し、サービスマンでなければ復旧できない状態になった時や、ジャムや記録紙がなくなったことにより、代行受信できない状態になった時等、マシンに何等かの故障が発生した時には、利用者に早急に通知する必要があり、この場合にはベルを鳴動させることが必要である。
また、設定した時刻になると自動的に受信モードを切り換える機能があるが、受信できない状態にあるにもかかわらず、設定された時間になるとファクシミリモードに切り換わって、受信できないのに着信することがあった。また、ファクシミリモードに切り換わった場合には、電話機のベルが鳴らないために、エラーに気付くのが遅れることがあった。
本発明の第１の目的は、このような従来の課題を解決し、ファクシミリモードやファクシミリ優先の自動切換モード等に設定されている時には、呼び出しベルを鳴らさず、電話機モードや電話機優先の自動切換モード等の電話に設定されている時には、呼び出しベルを鳴らすようにして、利用方法に合致した動作をするファクシミリ装置を提供することにある。
本発明の第２の目的は、ファクシミリモードになっている時でも、エラー等の緊急時には利用者に早急に通知できるファクシミリ装置を提供することにある。
本発明の第３の目的は、利用者が不在のときにファクシミリモードにならないように、電話機／ファクシミリ・切換えタイマが動作しても、ファクシミリ装置の状態によってはモードを切り換えないようにして、エラー状態を早急に通知することが可能なファクシミリ装置を提供することにある。
【０００５】
【課題を解決するための手段】
上記各目的を達成するため、本発明のファクシミリ装置は、
（ａ）着信時の受信モードを選択する操作手段（操作表示部４）と、回線への着信を電話機（１１）またはファクシミリ送受信モデム（１０ａ）とに切替え接続するリレー（２０）と、現在動作中の動作中モードがメモリに蓄積中あるいはメモリ文書出力中であることを示す多重動作中モードであるか否かを判断する第１の判断手段（２３，２７）と、操作手段（操作表示部４）で選択された受信モードおよび第１の判断手段（２３，２７）で判断された動作中モードとに基づいてリレー（２０）の切替えを制御する通信制御手段（ＣＣＵ１０）とを具備する、電話機（１１）が接続されたファクシミリ装置において、通信制御手段（ＣＣＵ２０）は、受信モードがファクシミリモードまたはファクシミリ優先モードのいずれかの場合、動作中モードが前記多重動作中モードであるか否かにかかわらず、リレー（２０）をファクシミリ送受信モデム（１０ａ）側に切替えることを特徴としている。
（ｂ）前記各手段の他に、ファクシミリ装置の状態を監視する監視手段（ステップ２０６参照）を有し、前記通信制御手段（ＣＣＵ１０）は、該監視手段の監視結果、所定の状態であることを検出した場合、操作手段（操作表示部４）で選択された受信モードに関係なく前記リレー（２０）を電話機（１１）側に切替えて、電話機（１１）のベルを鳴動させることも特徴としている。
（ｃ）前記各手段の他に、電話／ファクシミリのタイマ切替え時間を設定する設定手段（システムメモリ３）と、該設定手段（システムメモリ３）に設定されたタイマ切替え時間により受信モードを自動的に切替える手段（２０）と、ファクシミリ装置の状態を監視する監視手段（ステップ３０７参照）と、該監視手段で監視した状態を判断する第２の判断手段（ステップ３０８，３０９参照）とを有し、通信制御手段（ＣＣＵ１０）は、第２の判断手段の判断結果、所定の状態であると判断した場合、設定手段（システムメモリ３）により設定したタイマ切替え時間に受信モードを自動的に切替えないように制御することも特徴としている。
【０００６】
【作用】
本発明においては、受信モードによってファクシミリモード、自動切換モード（ファクシミリ優先）、ダイヤルインのファクシミリ番号等のように、ファクシミリに設定されている時には、呼び出しベルを鳴らさず、また、電話機モード、自動切換モード（電話機優先）、ダイヤルインの電話番号等のように、電話に設定されている時には、呼び出しベルを鳴らすようにして、利用方法に合致した動作を行わせる。
すなわち、ファクシミリとして使用することが多い場合には、相手方もファクシミリであることが多いので、その時には、受信できなくてもベルを鳴らすことなく、機械で自動的にビジーとして処理し、一方、電話機として使用することが多い場合には、相手方も会話目的であることが多いので、その時には、受信の可否によらずベルを鳴らして電話機であることを知らせる。
また、受信できない状態にあるにもかかわらず、設定された時間になるとファクシミリモードに切り換わり、受信できないにもかかわらず着信するというようなことがないように、電話機／ファクシミリ・タイマが動作している状態でも、ファクシミリの状態によっては、モードを切り換えないようにして、エラー状態を早急に通知する。
これにより、相手方に対して無駄な電話代がかからないようにでき、またベル音に対する騒音の苦情が少なくなる。また、受信モードに関係なく、エラー状態を早急に通知することができ、またエラー時にはタイマ切換えが自動的に行われないので、相手方に対し無駄な電話代がかからないようにできるとともに、再送処理をさせないようにできる。さらに、ファクシミリ／電話機／自動のうち、目的に合致した受信モードが設定できる。
【０００７】
【実施例】
以下、本発明の実施例を、図面により詳細に説明する。
図１は、本発明の一実施例を示すファクシミリ装置のシステムブロック図である。
図１において、１は画情報圧縮再生装置（ＤＣＲ）、２は画情報を蓄積する画情報メモリ、３はシステム管理データを格納するシステムメモリ、４は液晶表示部を備えた操作部（操作表示部）、５はシステム全体を制御するファクシミリ制御部、６はデータ転送用メモリのラインバッファ、７は画情報読取装置のスキャナ部、７ａは原稿幅検知センサを備えた原稿自動搬送装置（ＡＤＦ）、８は記録紙に印字するプロッタ部、８ａは記録紙をセットする給紙ユニット、９は時計機能を備えたリアルタイムクロック（ＲＴＣ）、１０は通信制御装置（ＣＣＵ）、１０ａは変調／復調装置（モデム）、１０ｂは網制御装置（ＮＣＵ）、１１は通話のための電話機である。
【０００８】
図２は、図１における網制御装置の一例を示す構成図である。
２回路の切替器２０のコモン端子２０ａｃ、２０ｂｃは回線（網）にそれぞれ接続されており、切替接続端２０ａｂ，２０ｂｂは電話器１１の信号線が接続されている。また、切替接続端２０ａａ，２０ｂａはトランス２１の１次側に接続されている。トランス２１の２次側は、２線／４線変換器２２の２線側接続端に接続されており、さらに２線／４線変換器２２の４線接続端はモデム１０ａに接続されている。
リンギング極反検出器２３は、網からの呼び出し音であるリンギングトーンを検出するとともに、回線上の直流電源の極性反転を検出するものであり、その検出信号Ｓ１はＣＣＵ１０に出力される。
また、ダイヤルパルス（ＤＰ）信号発生器２４は、回線に選択信号としてダイヤルパルスを出力するため、および直流ループの開閉を行うためのものであって、その動作はＣＣＵ１０から出力される制御信号Ｓ６により制御される。
【０００９】
プッシュボタン（ＰＢ）信号発生器２５は、回線に選択信号としてプッシュボタン信号を出力するためのものであって、その出力信号は２線／４線変換器２２の４線側接続端のうちの信号入力端に加えられている。また、プッシュボタン信号発生器２５は、ＣＣＵ１０から出力される制御信号Ｓ３により制御される。
トーン信号発生器２６は、回線に所定のトーン信号を出力するためのものであって、その出力信号は２線／４線変換器２２の４線側接続端のうちの信号入力端に加えられる。また、このトーン信号発生器２６は、ＣＣＵ１０から出力される制御信号Ｓ４により制御される。
また、トーン信号検出器２７は、回線を介して相手端末から送出されるトーン信号を検出するためのものであって、その入力端は２線／４線変換器２２の４線側接続端のうちの信号出力端に接続されている。また、その検出信号Ｓ５は、ＣＣＵ１０に出力されている。また、切替器２０の動作は、ＣＣＵ１０から出力される制御信号Ｓ２により制御される。
【００１０】
図４は、本発明の第１の実施例を示す動作のフローチャートであって、着信時の受信モードを選択し、電話器と回線のリレーを制御して、動作中のモードを判断し、電話器のベル鳴動を制御する方法の動作である。
着信時の受信モードは、操作表示部４から入力されることにより、システムメモリ３に登録してモードが設定される（ステップ１０１）。もし、設定が電話モードに設定されていたならば（ステップ１０２）、図２の網制御装置（ＮＣＵ）の切替器２０を電話器側（２０ａｃ−２０ａｂ，２０ｂａ−２０ｂｂ）にして、回線からの信号は電話器へ出力されるようにし、同時にファクシミリ制御部５はＣＣＵ１０にこの旨を通知する。ＣＣＵ１０は、制御信号Ｓ２によりその切替制御を行う（ステップ１０６）。なお、自動切替モード（電話優先）のときにも（ステップ１０３）、上記と同じように切替器２０を電話器側にする（ステップ１０６）。
一方、ファクシミリモードに設定されたならば（ステップ１０４）、動作中のモードチェックを行った後（ステップ１０７）、現在蓄積中または出力中であるか否かにかかわらず（ステップ１０８）、切替器２０を電話器側から切り離す（２０ａｃ−２０ａａ，２０ｂｃ−２０ｂａ）（ステップ１０９）。なお、自動切替モード（ファクシミリ優先）のときにも（ステップ１０５）、上記と同じように切替器２０を電話器側から切り離す（ステップ、１０７，１０８，１０９）。
その制御方法は、電話モードのときと同じである。
【００１１】
従来の方法では、ファクシミリ装置で多重動作（蓄積中に受信するとき、メモリ文書出力中に受信するとき等）ができない場合、相手が会話目的で電話をかけてきたかも知れないために、受信モードに関係なく切替器２０を電話側にして、電話器のベルが鳴るようにしていた。すなわち、図４のステップ１０８では、蓄積中または出力中であれば、リレーを電話器側に切替えていた。しかし、ファクシミリとして使用する場合、相手もファクシミリ装置であることが殆んどであるので、受話器を持ち上げてもファクシミリ信号しか聞えず、そのまま受話器を置いてしまうため、電話代だけ相手に課金されることになる。
このような不合理を解消するため、本実施例においては、ファクシミリモード中に多重動作で受信できない時には、切替器２０を電話器側に切替えることなく、そのままの状態にする（図４のステップ１０８）。そして、ＤＰ信号発生器２４内の直流ループを開のままにして、電話着信を受け付けないようにする。すなわち、ステップ１０９でリレーをファクシミリ側に切替えるので、この状態で着信が入っても電話器のベルは鳴らない。
これにより、電話器のベルは鳴らずに、発信側には呼出音が返されるため、課金の対象とはならない。着信できない状態が解除されたならば、つまり動作中の処理が終了したならば、ＤＰ信号発生器２４内の直流ループを閉結させ、切替器２０を電話器側にして受信動作に移る。
これらの制御は、全てファクシミリ制御部５がシステムの状態を監視して、ＣＣＵ１０に通知する。ＣＣＵ１０は、その通知をもとにして各信号の制御を行う。
【００１２】
図５は、本発明の第２の実施例を示すファクシミリ装置の動作フローチャートであって、ファクシミリ装置の状態を監視し、その状態を判断して、判断結果により設定した受信モードに関係なく、リレーのＯＮ／ＯＦＦにより電話器のベル鳴動を制御する方法を示す。
従来より、図１のファクシミリ制御部５は、定期的にスキャナ部７の状態、プロッタ部８の状態、画情報メモリ２の残量をチェックする。この時に、何等かのエラーを発見し、そのエラーの種類がサービスマンでしか復旧できない場合、または記録紙のジャムにより画情報メモリ２の残量が０％になり、メモリ受信できない場合には、ファクシミリ制御部５は、その状態を表示部４に表示する。しかし、この状態になっても、ユーザは装置の所まで送信等の目的で行かなければ表示部４のエラー表示に気付くことができない。
そこで、本実施例では、受信することができない何等かのエラーを検出した時には、切替器２０を電話器側（２０ａｃ−２０ａｂ，２０ｂｃ−２０ｂｂ）にして、着信時には必ず電話器のベルを鳴らすようにする。これは、設定された受信モードに関係なく行われる。
【００１３】
図５において、操作部表示部４からの入力により受信モードを設定する（ステップ２０１）。電話モードあるいは自動切替モード（電話優先）であれば（ステップ２０２，２０３）、リレーを電話器側に切替える（ステップ２１０）。
一方、ファクシミリモードあるいは自動切替モード（ファクシミリ優先）であれば（ステップ２０４，２０５）、ファクシミリ制御部５がシステムの状態をチェックし（ステップ２０６）、復旧可能なエラーであるか否かを判断し（ステップ２０７）、サービスマンでしか復旧できないときには、リレーを電話器側に切替える（ステップ２１０）。また、プロッタエラーで、メモリ残量０％であるか否かを判断し（ステップ２０８）、そうであれば、リレーを電話器側に切替える（ステップ２１０）。復旧可能なエラーで、かつプロッタエラーでもなく、メモリ残量が０％でなければ、リレーをファクシミリ側に切替える（ステップ２０９）。そして、電源ＯＮであるか否かを判断し（ステップ２１１）、ＯＮであれば、ステップ２０２に戻り、ＯＦＦであれば処理を終了する。なお、電源ＯＮ中は、定期的にシステムの状態をチェックする（ステップ２０６）。
このようにすることにより、ベルが鳴動するので、ユーザは装置の場所に行って表示部のエラー表示を見て、エラー状態にあることに気付くことになる。その結果、エラーの解除が早急に行われることになる。
【００１４】
図６は、本発明の第３の実施例を示すファクシミリ装置の動作フローチャートであって、電話／ファクシミリのタイマ切替の時間を設定し、その時間により受信モードを自動的に切替え、ファクシミリ装置の状態を監視して状態を判断し、その判断結果により設定した受信モードへ自動的に移行しないように制御する方法を示している。
従来より、ファクシミリ装置は、何時何分に受信モードを自動的に切替える機能を備えていた。例えば、８時３０分から１７時３０分までは勤務中であるため、電話モードに設定しておき、１７時３０分以降は人がいないためファクシミリモードに設定する、という使用方法をしている。この時の時間の設定は、操作部表示部４から入力し、システムメモリ３に記録することで行われる。時間の監視は、ファクシミリ制御部５がＲＴＣ９から現在時間を読み出し、システムメモリ３内の受信モード切替え時間と比較する。
【００１５】
図６において、先ず操作部表示部４からの入力により各曜日毎の受信モードとその切替え時間を設定する（ステップ３０１）。現在時刻を読み出す（ステップ３０２）。登録された切替え時刻と比較する（ステップ３０３）。時間が一致しない場合には、受信モードは前のままで動作し、図５のフローチャート（第２の実施例）と同じ動作を行う（ステップ３１１）。時間が一致した場合には、受信モードを読み出し（ステップ３０５）、ファクシミリモードまたは自動切替（ファクシミリ優先）であるか否かを判断し（ステップ３０６）、そうであれば、システムの状態をチェックして（ステップ３０７）、復旧可能なエラーが発見されて、それがプロッターエラーでメモリ残量が０％であるとき、あるいは復旧可能なエラーでないときには、図５のフローチャートと同じ動作、つまりリレーを受話器側に切替える（ステップ３１１）。一方、プロッターエラーでなく、メモリ残量が０％でなければ（ステップ３０９）、受信モードを設定時間のモードにする（ステップ３１０）。受信モードを設定すると、操作パネル上のＬＥＤが移動することになる。すなわち、操作パネル上のファクシミリモード、電話モード、自動切替モードのランプが設定時間のモードで点灯することになる。
【００１６】
図３は、システムメモリ内の受信モードタイマ切替え時間の登録例を示す図である。
月曜日の８時３０分になれば、受信モードを電話モードに設定し、１７時３０分になれば、ファクシミリモードに設定する。これを火、水、木、金に同じように設定することにより、１週間分のデータを登録する。なお、土曜日、日曜日は８時３０分になっても休日であるため、出勤しないので、ファクシミリモードを設定し、終日、ファクシミリモードとして使用することになる。
図１の例で説明すると、ファクシミリ制御部５は現在の時刻と曜日とをＲＴＣ９から読み出す。その時の曜日と一致するタイマ切替え時間を、システムメモリ３から読み出す。例えば、月曜日の場合には８時３０分／電話モード、１７時３０分／ファクシミリモード、が読み出される。次に、時間の比較を行う。現在時間が８時３０分ならば、受信モードを電話モードにし、１７時３０分ならば、ファクシミリモードにする。この場合、ファクシミリモードに変更する時には、図５のフローチャートと同じように装置の状態をチェックする。もし、エラーとなっていたならば、切替え時間になってもファクシミリモードには切替えず、電話モードのままとし、電話器のベルが鳴るようにする。これにより、人間が不在のときにはどうしようもないが、在席するときには、エラーであることをユーザに通知して、受信できなくなる状態を防止する。
【００１７】
【発明の効果】
以上説明したように、本発明によれば、電話／ファクシミリ／自動のうちの目的に合致した受信モードが設定できるので、相手に対して無駄な電話代をかけなくてすむ。また、ベル音が少なくなるため、ベル音に対する騒音のクレームが減少するとともに、エラー状態を受信モードに関係なく、ユーザに早く通知することができ、しかもエラー時にはタイマ切替えが自動的に行われないため、相手に対して無駄な電話代と、再送処理の手間をとらせないですむという利点がある。
【図面の簡単な説明】
【図１】  本発明の一実施例を示すファクシミリ装置のシステムブロック図である。
【図２】  図１における網制御装置（ＮＣＵ）の一例を示す構成図である。
【図３】  図１のシステムメモリにおける受信モードタイマーの切替例を示す図である。
【図４】  本発明の第１の実施例を示す動作フローチャートである。
【図５】  本発明の第２の実施例を示す動作フローチャートである。
【図６】  本発明の第３の実施例を示す動作フローチャートである。
【符号の説明】
１…画情報圧縮再生装置（ＤＣＲ）、２…画情報メモリ、３…システムメモリ、 ４…操作部表示部、５…ファクシミリ制御部、６…ラインバッファ、
７…スキャナ部、７ａ…原稿幅検知センサを備えた原稿自動搬送装置（ＡＤＦ） ８…プロッタ部、８ａ…記録紙をセットする給紙ユニット、
９…リアルタイムクロック、１０…通信制御装置（ＣＣＵ）、
１０ａ…変復調装置（モデム）、１０ｂ…網制御装置（ＮＣＵ）、
１１…電話器、２０…切替器、２１…トランス、２２…２線／４線変換器、
２３…リンギング極反検出器、２４…ダイヤルパルス信号発生器、
２５…ＰＢ信号発生器、２６…トーン信号発生器、２７…トーン信号検出器、
Ｓ１，Ｓ５…検出信号、
Ｓ２，Ｓ３，Ｓ４，Ｓ６…通信制御装置からの制御信号。
【図１】
0003704742.tif 000002
【図２】
0003704742.tif 000003
【図３】
0003704742.tif 000004
【図４】
0003704742.tif 000005
【図５】
0003704742.tif 000006
【図６】
0003704742.tif 000007